(57)【要約】【課題】大信号が入力されたときでも出力信号の歪みやビート妨害を生じにくいＡＭ放送受信回路を小さな回路規模で構成できるようにする。【解決手段】ＡＭ放送信号のアンテナバッファとしてのＪＦＥＴ４を１００％負帰還型のソースフォロワ形式で構成し、当該ＪＦＥＴ４の後段に、可変容量回路７とトランス６とから成る同調回路を設け、更にその後段にＭＯＳＦＥＴ１０，１１から成る増幅回路を設ける構成とすることにより、ＪＦＥＴ４での信号歪み率を小さく抑えるとともに、あらゆる周波数成分が増幅回路に入り込んで当該増幅回路が飽和して出力信号に歪みが生じてしまう不都合を防ぐことができるようにする。また、バラクタダイオードを使わずに複数のコンデンサＣＴ１，ＣＴ２，・・・ＣＴｎの切り替えによって容量値を可変とすることにより、当該コンデンサＣＴ１，ＣＴ２，・・・ＣＴｎをＩＣ２０内に集積可能にする。【選択図】        図１
2009206554.tif 000002
【特許請求の範囲】
【請求項１】
受信されたＡＭ放送信号を入力するアンテナバッファであるソースフォロワ形式のジャンクションＦＥＴと、
上記アンテナバッファから出力される信号を入力し、希望局のＡＭ放送周波数に同調をとる回路であって、コイルと複数の固定容量値のコンデンサと当該複数のコンデンサを切り替えて使用するためのスイッチとから成る同調回路と、
上記同調回路の後段に接続された増幅回路であるＭＯＳＦＥＴとを備えたことを特徴とするＡＭ放送受信回路。
【請求項２】
上記コイルは１次側巻線および２次側巻線を有するトランスにより構成され、当該トランスを有する上記同調回路は、上記１次側巻線と上記２次側巻線との巻数比に応じて、上記アンテナバッファから出力される信号を高周波増幅して上記増幅回路に出力することを特徴とする請求項１に記載のＡＭ放送受信回路。
【請求項３】
上記同調回路を構成する上記複数のコンデンサおよび上記スイッチと、上記増幅回路とを集積回路内に集積して構成したことを特徴とする請求項１または２に記載のＡＭ放送受信回路。
【請求項４】
上記スイッチはＣＭＯＳトランジスタにより構成されることを特徴とする請求項３に記載のＡＭ放送受信回路。
【発明の詳細な説明】
【技術分野】
【０００１】
本発明はＡＭ放送受信回路に関し、例えば、車載用のラジオ受信機においてアンテナマッチングに用いられる回路に用いて好適なものである。
【背景技術】
【０００２】
一般に、ＡＭ放送の受信にはバーアンテナが使用される。そして、そのバーアンテナのインダクタンスと可変容量コンデンサとを組み合わせて同調回路が構成され、この同調回路を用いてＡＭ放送周波数に同調をとる仕組みが採用されている。ところが、金属体のボディで覆われている車内に設置される車載ラジオ受信機の場合は、金属体によるシールド効果のために車内に届く電波が大幅に減衰してしまうため、バーアンテナが使用できない。
【０００３】
そのため、車外にホイップアンテナを立てるか、ウィンドウのガラス面に透明金属を貼り付けて構成したガラスアンテナを使う必要がある。これらの車載アンテナと車内のラジオ受信機との間は同軸ケーブル等で接続される。すなわち、車載アンテナで捕獲した電波信号をラジオ受信機まで伝送するためのフィーダー線として、当該同軸ケーブル等が用いられる。
【０００４】
一方、多くの場合、車載ラジオ受信機のアンテナマッチング回路には非同調方式の受信回路が用いられる（例えば、特許文献１の図３（ｂ）を参照）。図５は、車載用ＡＭラジオ受信機に用いられる非同調方式のＡＭ放送受信回路の従来構成例を示す図である。図５に示すように、従来の非同調方式のＡＭ放送受信回路は、カップリングコンデンサ１０１、抵抗１０２，１０３、信号増幅用ＦＥＴ１０４、カップリングコンデンサ１０５および増幅回路１０６から構成されている。
【特許文献１】特開２００２−２０４１２９号公報
【０００５】
ここで、カップリングコンデンサ１０１は、図示しない車載アンテナから入力されるＡＭ放送信号の直流成分をカットするためのものである。抵抗１０２は、信号増幅用ＦＥＴ１０４に適当なバイアスを与えるためのものである。信号増幅用ＦＥＴ１０４は、入力されたＡＭ放送信号を増幅する初段増幅回路であり、例えばジャンクションＦＥＴ（接合形電界効果トランジスタ＝ＪＦＥＴ）により構成されている。ＪＦＥＴは、フリッカノイズ（１／ｆ雑音）や熱雑音が非常に小さいので、よく使用される。
【０００６】
このように構成したＡＭ放送受信回路では、カップリングコンデンサ１０１を通過したＡＭ放送信号がＪＦＥＴ１０４で構成される初段増幅回路により増幅され、増幅されたＡＭ放送信号がドレイン端子から出力されて、カップリングコンデンサ１０５を介して次段の増幅回路１０６に供給される。次段増幅回路１０６はバイポーラトランジスタを用いてＩＣ上に集積されており、そのため入力インピーダンスが小さくなるように構成されている。
【０００７】
ところが、図５に示すＡＭ放送受信回路では、初段増幅回路のＪＦＥＴ１０４がソース接地で用いられている。ソース接地の場合、ＪＦＥＴ１０４の入力信号が振幅されて、出力信号に歪みを生じてしまうという問題があった。
【０００８】
また、図５のようなＡＭ放送受信回路の場合、非同調で次段増幅回路１０６の入力インピーダンスも小さいため、あらゆる周波数成分が次段増幅回路１０６に入り込む。このため、次段増幅回路１０６が動作的に飽和してしまい、増幅して出力される信号に歪みを生じてしまうという問題もあった。
【０００９】
このような問題を回避するために、例えば図６に示すように、ＪＦＥＴ１０４の出力段（ドレイン側）にＡＧＣ（Automatic Gain Control）用のバイポーラトランジスタ１０７を設け、受信信号（周波数変換が行われる前のＲＦ信号または周波数変換が行われた後のＩＦ信号）の検出レベルに応じて、ＪＦＥＴ１０４の出力信号の振幅を調整するようにしたＡＭ放送受信回路も存在する。
【００１０】
また、あらゆる周波数成分が次段増幅回路１０６に入り込むことによる歪み発生の問題を回避する別の方法として、同調方式の受信回路が用いられることもある（例えば、特許文献１の図３（ａ）を参照）。図７は、車載用ＡＭラジオ受信機に用いられる同調方式のＡＭ放送受信回路の従来構成例を示す図である。図７に示すように、従来の同調方式のＡＭ放送受信回路は、カップリングコンデンサ１０１、抵抗１０２、初段増幅回路である信号増幅用ＦＥＴ１０４、カップリングコンデンサ１０５、次段増幅回路１０６および同調回路１０８から構成されている。
【００１１】
ここで、同調回路１０８は、信号増幅用ＦＥＴ１０４から出力されるＲＦ信号を高周波増幅して次段増幅回路１０６に出力するものであり、同調用のコンデンサＣ１およびバラクタダイオードＤ１と、同調用のコイルＬ１，Ｌ２とにより構成されている。この図７に示すＡＭ放送受信回路では、バラクタダイオードＤ１の容量値を可変設定することにより、希望局のＡＭ放送周波数に同調をとり、同調した周波数成分だけを次段増幅回路１０６に供給するように成されている。これにより、次段増幅回路１０６が飽和して出力信号に歪みが生じるのを防ぐことができる。
【００１２】
しかしながら、図７に示す同調方式のＡＭ放送受信回路では、希望局のＡＭ放送周波数に同調をとるためにバラクタダイオードＤ１を用いている。仮に、このバラクタダイオードＤ１をＣＭＯＳ（Complementary Metal Oxide Semiconductor）のＩＣ内に集積しようとすると、図８に示すように、入力電圧に対する容量値の変化特性が非常に急峻なカーブを描くようになり、大きなレベルの信号が入力されたときに、出力信号に歪みを生じやすくなるという問題があった。このため、バラクタダイオードＤ１を含む同調回路１０８をＩＣの外付け部品として構成しなければならず、外付け部品点数が多くなってしまう。
【発明の開示】
【発明が解決しようとする課題】
【００１３】
以上に述べたように、図５に示す非同調方式のＡＭ放送受信回路では、初段増幅回路のＪＦＥＴ１０４がソース接地で用いられているため、入力信号がＪＦＥＴ１０４で増幅されて、出力信号に歪みを生じてしまうという問題があった。また、図５に示す非同調方式のＡＭ放送受信回路は、非同調で次段増幅回路１０６の入力インピーダンスも小さいため、あらゆる周波数成分が次段増幅回路１０６に入り込み、次段増幅回路１０６が飽和してその出力信号に歪みを生じてしまうという問題もあった。
【００１４】
また、図５のようなＡＭ放送受信回路の場合、あらゆる周波数成分が次段増幅回路１０６に入り込むため、混変調（クロスモジュレーション）などのビート妨害を起こしやすいという問題もあった。特に、ホイップアンテナはＡＭ電波の波長に比べて非常に短いので容量性を示し、構造がロッドアンテナ状になっているので自由に伸縮できて、その長さに対して容量値が変化する。さらに、フィーダー線として使用される同軸ケーブルの長さは車種によって異なり、これも容量ばらつきの要因となる。このため、図５に示す非同調方式のＡＭ放送受信回路ではＡＭ放送受信周波数に同調がとりにくく、混信号によるビート妨害が発生しやすくなる。
【００１５】
なお、図６に示すようにＡＧＣ用のトランジスタ１０７を設けた場合には、次段増幅回路１０６に入力される信号のレベルを調節することができ、次段増幅回路１０６が飽和してその出力信号に歪みを生じてしまうという問題を回避することが可能である。しかしながら、図６に示すＡＭ放送受信回路であっても、ＪＦＥＴ１０４の閾値電圧Ｖｔｈを越える大きなレベルの受信信号が入力されたときに出力信号に歪みを生じてしまうという問題は回避できない。また、ＡＧＣ動作により次段増幅回路１０６への入力信号のレベルが下げられることにより、希望局周波数のレベルも同時に下がって受信感度が悪化してしまうことがあるという問題もあった。
【００１６】
また、図７に示す同調方式のＡＭ放送受信回路では、ＪＦＥＴ１０４の閾値電圧Ｖｔｈを越える大きなレベルの受信信号が入力されたときに出力信号に歪みを生じてしまうという問題に加えて、バラクタダイオードＤ１をＩＣ内に集積すると、大きなレベルの信号が入力されたときに出力信号に歪みを生じやすくなるという問題があった。一方、バラクタダイオードＤ１を含む同調回路１０８をＩＣの外部に構成すると、外付け部品点数が多くなり、回路規模が大きくなってしまうという問題があった。
【００１７】
本発明は、このような問題を解決するために成されたものであり、大きなレベルの受信信号が入力されたときでも出力信号の歪みやビート妨害を生じにくいＡＭ放送受信回路を、できるだけＩＣの外付け部品点数を少なくして小さな回路規模で構成できるようにすることを目的とする。
【課題を解決するための手段】
【００１８】
上記した課題を解決するために、本発明のＡＭ放送受信回路は、受信されたＡＭ放送信号を入力するアンテナバッファとしてのジャンクションＦＥＴをソースフォロワ形式で構成し、当該アンテナバッファの後段に、使用するコンデンサを切り替えることによって容量値を可変とする同調回路を設け、更にその後段にＭＯＳＦＥＴから成る増幅回路を設ける構成としている。
【発明の効果】
【００１９】
上記のように構成した本発明によれば、アンテナバッファのジャンクションＦＥＴがソースフォロワ形式で構成されるため、当該ジャンクションＦＥＴにおいて入力信号が増幅されなくなるので、増幅による出力信号の歪みが生じないようにすることができる。また、ジャンクションＦＥＴのゲートに全帰還がかかり、当該ジャンクションＦＥＴの閾値電圧を越える大きなレベルの信号が入力されても出力信号に歪みが生じないようにすることができる。また、増幅回路の入力段に同調回路が設けられているため、同調した周波数成分だけが増幅回路に供給されることとなり、増幅回路が飽和して出力信号に歪みが生じるのを防ぐことができるとともに、様々な周波数成分による混変調の発生も回避してビート妨害を抑止することができる。さらに、バラクタダイオードを使わずに同調回路が構成されるので、バラクタダイオードの非直線性による歪みの発生をなくすことができる。また、当該同調回路を構成する複数のコンデンサをＩＣ内に集積することができ、かつ、大きなレベルの信号が入力されても出力信号に歪みが生じないようにすることができる。以上により、大きなＡＭ放送信号が入力されたときでも出力信号の歪みやビート妨害が生じにくいＡＭ放送受信回路を、できるだけＩＣの外付け部品点数を少なくして小さな回路規模で構成することができる。
【発明を実施するための最良の形態】
【００２０】
以下、本発明の一実施形態を図面に基づいて説明する。図１は、本実施形態によるＡＭ放送受信回路の構成例を示す図である。図１に示すように、本実施形態のＡＭ放送受信回路は、カップリングコンデンサ１、抵抗２，３、ジャンクションＦＥＴ（ＪＦＥＴ）４、カップリングコンデンサ５、トランス６、可変容量回路７、抵抗８，９およびＭＯＳＦＥＴ１０，１１を備えて構成されている。
【００２１】
カップリングコンデンサ１は、図示しない車載アンテナから入力されるＡＭ放送信号の直流成分をカットするためのものである。抵抗２，３は、ＪＦＥＴ４に適当なバイアスを与えるためのものである。ＪＦＥＴ４は、受信されたＡＭ放送信号を増幅動作無しで入力するアンテナバッファであり、ソースフォロワ形式にて構成されている。すなわち、ＪＦＥＴ４のドレイン端子が電源Ｖccに接続され、入力された信号がソース端子から出力されるように成されている。
【００２２】
具体的には、カップリングコンデンサ１を通過したＡＭ放送信号は、ＪＦＥＴ４で構成されるアンテナバッファに入力される。そして、ＪＦＥＴ４に入力されたＡＭ放送信号は、ＪＦＥＴ４のソース端子から出力されて、カップリングコンデンサ５を介して次段のトランス６に供給される。
【００２３】
トランス６は、１次側巻線（１次コイル）Ｌ１および２次側巻線（２次コイル）Ｌ２を有し、可変容量回路７と共に同調回路を構成する。可変容量回路７は、複数の固定容量値のコンデンサＣＴ１，ＣＴ２，・・・ＣＴｎと、当該複数のコンデンサＣＴ１，ＣＴ２，・・・ＣＴｎの中から何れか１つを切り替えて使用するためのスイッチＳ１とから構成される。ここで、コンデンサＣＴ１，ＣＴ２，・・・ＣＴｎの容量値はそれぞれ異なっている。
【００２４】
なお、可変容量回路７は、図２のように構成しても良い。図２に示す構成において、可変容量回路７は、複数の固定容量値のコンデンサＣＴ１，ＣＴ２，・・・ＣＴｎと、当該複数のコンデンサＣＴ１，ＣＴ２，・・・ＣＴｎにそれぞれ接続された複数のスイッチＳＷ１，ＳＷ２，・・・ＳＷｎとを備えている。各々のコンデンサＣＴ１〜ＣＴｎに対してスイッチＳＷ１〜ＳＷｎが直列に設けられていて、かつ、それら複数の直列回路が互いに並列に接続されている。スイッチＳＷ１〜ＳＷｎは、図示しない選局用周波数シンセサイザと同期してスイッチング動作する。
【００２５】
図２のように構成した場合、スイッチＳＷ１〜ＳＷｎの中の何れか１つまたは複数をオンとすることにより、コイルＬ２に並列接続されるコンデンサの容量値を可変とし、ひいては同調周波数を切り替えることが可能である。複数のスイッチをオンとした場合、オンとされたスイッチに接続されているコンデンサの容量値が合計されて大きな容量値を得ることができる。このため、個々のコンデンサＣＴ１〜ＣＴｎの容量値は、図１の場合に比べて小さくて済む。なお、図２の場合、コンデンサＣＴ１〜ＣＴｎの容量値は、それぞれ異なっていても良いし、同じであっても良い。
【００２６】
トランス６および可変容量回路７から成る同調回路は、ＪＦＥＴ４から出力される信号を、カップリングコンデンサ５を介してトランス６の１次コイルＬ１に入力し、可変容量回路７の容量値を変えることによって、２次コイルＬ２を通じて出力される信号に対して希望局のＡＭ放送周波数に同調をとるための回路である。また、この同調回路は、トランス６の１次コイルＬ１と２次コイルＬ２との巻数比に応じて、ＪＦＥＴ４から出力される信号を高周波増幅して次段の増幅回路に出力する。
【００２７】
増幅回路は同調回路の後段に接続されており、カスコード接続された２つのＭＯＳＦＥＴ１０，１１により構成されている。抵抗８，９は、２つのＭＯＳＦＥＴ１０，１１に適当なバイアスを与えるためのものである。すなわち、抵抗８によってカスコード接続の１段目に当たるＭＯＳＦＥＴ１０に適当なバイアスが与えられ、抵抗９によってカスコード接続の２段目に当たるＭＯＳＦＥＴ１１に適当なバイアスが与えられる。２段目のＭＯＳＦＥＴ１１のドレイン端子から次段のミキサ回路（図示せず）に信号が出力される。
【００２８】
以上の構成において、同調回路を構成する可変容量回路７と、増幅回路を構成するＭＯＳＦＥＴ１０，１１と、当該ＭＯＳＦＥＴ１０，１１にバイアスを与える抵抗８，９とをＣＭＯＳプロセスの集積回路（ＩＣ）２０内に集積している。ここで、バラクタダイオードの代わりに可変容量回路７を用いることにより、入力電圧に対する容量値の変化特性は直線性が向上する。また、可変容量回路７のスイッチＳ１をｐＭＯＳでもｎＭＯＳでもなくＣＭＯＳスイッチとすることにより、容量値変化特性の直線性をより良好にすることができる。一方、カップリングコンデンサ１、抵抗２，３、ＪＦＥＴ４、カップリングコンデンサ５およびトランス６はＩＣ２０の外付け部品として構成している。
【００２９】
なお、図１では２つのＭＯＳＦＥＴ１０，１１にて構成したカスコード増幅器を増幅回路として用いる例について示したが、図３に示すように、４つのＭＯＳＦＥＴ１０〜１４を用いて構成した差動増幅器を増幅回路として用いるようにしても良い。
【００３０】
図３に示す構成では、差動増幅器の２つの差動入力間（ＭＯＳＦＥＴ１０，１３のゲート間）にコイルＬ２および可変容量回路７を接続する構成としている。また、差動入力の一方のＭＯＳＦＥＴ１０だけでなく、他方のＭＯＳＦＥＴ１３にも抵抗８を介して同じバイアスＶｂ１を与えるようにしている。また、スイッチＳ１の一方端には、このバイアスＶｂ１が与えられるようにしている。このように構成することにより、差動バランスを良好にすることができ、差動増幅器の線形性を高くすることができる。
【００３１】
なお、図３のように増幅回路を差動増幅器により構成した場合、可変容量回路７は、図４のように構成しても良い。この図４において、図２に示した構成要素と同一の機能を有する構成要素には同一の符号を付している。図４では、複数のコンデンサＣＴ１〜ＣＴｎと複数のスイッチＳＷ１〜ＳＷｎとの直列の接続順を交互に入れ替えている。
【００３２】
すなわち、１つ目の直列回路は、コンデンサＣＴ１をＭＯＳＦＥＴ１０のゲート側、スイッチＳＷ１をバイアス抵抗８側に接続している。その隣に並列接続された２つ目の直列回路は、コンデンサＣＴ２をバイアス抵抗８側、スイッチＳＷ２をＭＯＳＦＥＴ１０のゲート側に接続している。さらに、その隣に並列接続された３つ目の直列回路は、コンデンサＣＴ３をＭＯＳＦＥＴ１０のゲート側、スイッチＳＷ３をバイアス抵抗８側に接続している。以下同様にして、コンデンサＣＴ４〜ＣＴｎと複数のスイッチＳＷ４〜ＳＷｎとの直列の接続順も交互に入れ替えている。
【００３３】
このように構成することにより、差動入力を構成する２つのＭＯＳＦＥＴ１０，１３の一方にのみ浮遊容量が付いてしまうことを防止することができ、差動バランスを更に良好にすることができる。これにより、差動増幅器の線形性を更に高くすることができる。
【００３４】
以上詳しく説明したように、本実施形態では、受信されたＡＭ放送信号を入力するアンテナバッファとしてのＪＦＥＴ４をソースフォロワ形式で構成し、当該ＪＦＥＴ４の後段に、使用するコンデンサＣＴ１，ＣＴ２，・・・ＣＴｎを切り替えることによって容量値を可変とする可変容量回路７とトランス６とから成る同調回路を設け、更にその後段にＭＯＳＦＥＴ１０，１１（またはＭＯＳＦＥＴ１０〜１４）から成る増幅回路を設ける構成としている。
【００３５】
ソースフォロワ形式では増幅動作を行わないので、入力信号がＪＦＥＴ４で増幅されることによる出力信号の歪みをなくすことができる。また、ソースフォロワ形式は１００％負帰還回路（全帰還）なので、回路自身の歪み率が小さく、ＪＦＥＴ４の閾値電圧を越える大きなレベルのＡＭ放送信号が入力された場合でも混変調を起こしにくい。また、当該ソースフォロワ回路を構成するＪＦＥＴ４はフリッカノイズ（１／ｆ雑音）や熱雑音が非常に小さいので雑音指数が良く、ＪＦＥＴ４で発生するノイズはアンテナで発生するノイズよりも小さい。このため、大きなレベルのＡＭ放送信号が入力されても、当該ＪＦＥＴ４の出力信号に大きな歪みが生じないようにすることができる。
【００３６】
また、本実施形態によれば、増幅回路の入力段に同調回路が設けられているため、同調した周波数成分だけが増幅回路に供給されることとなる。さらに、増幅回路はバイポーラトランジスタではなくＭＯＳＦＥＴ１０，１１により構成されているため、その入力インピーダンスは大きくなる。増幅回路をＭＯＳＦＥＴ１０，１１により構成して入力インピーダンスを大きくすると、その前段に設けた同調回路のＱも大きくすることができる。これにより、あらゆる周波数成分が増幅回路に入り込んで当該増幅回路が飽和して出力信号に歪みが生じてしまう不都合を防ぐことができるとともに、様々な周波数成分による混変調の発生も回避してビート妨害を抑止することができる。
【００３７】
なお、ソースフォロワ回路はゲインが１以下なので、ＪＦＥＴ４をソースフォロワ形式にすると、ＪＦＥＴ４で大きなゲインを得ることができない。これに対して本実施形態では、ＪＦＥＴ４の後段における同調回路を構成するコイルをトランス６により構成し、１次コイルＬ１と２次コイルＬ２との巻数比による電圧増幅率を利用して、ＪＦＥＴ４から出力される信号を高周波増幅して増幅回路のＭＯＳＦＥＴ１０，１１に出力するようにしている。これにより、ＪＦＥＴ４をゲインの小さいソースフォロワ形式で構成した場合でも、増幅回路に入力される信号に関して大きなゲインを得ることができる。
【００３８】
さらに、本実施形態によれば、バラクタダイオードを使わずに同調回路が構成される。上述したように、バラクタダイオードをＩＣ２０内に集積すると、入力電圧に対する容量値の変化特性が非常に急峻なカーブを描くため、強い信号が入力されたときに、出力信号に歪みを生じやすくなる。これに対し、本実施形態では複数のコンデンサＣＴ１，ＣＴ２，・・・ＣＴｎを切り替えて容量値を可変とするように同調回路が構成されているので、当該複数のコンデンサＣＴ１，ＣＴ２，・・・ＣＴｎをＩＣ２０内に集積し、かつ、大きなレベルの信号が入力されても出力信号に歪みが生じないようにすることができる。このため、バラクタダイオードのようなＩＣ２０の外付け部品の使用数を減らすことができる。
【００３９】
以上により、本実施形態によれば、大きなＡＭ放送信号が入力されたときでも出力信号の歪みやビート妨害を生じにくいＡＭ放送受信回路を、できるだけＩＣ２０の外付け部品点数を少なくして小さな回路規模で構成することができる。
【００４０】
なお、上記実施形態は本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４１】
本発明は、車載用のラジオ受信機においてアンテナマッチングに用いられるＡＭ放送受信回路に有用である。車載用が好適な適用例であるが、車載用以外のラジオ受信機にも用いることが可能である。
【図面の簡単な説明】
【００４２】
【図１】本実施形態によるＡＭ放送受信回路の構成例を示す図である。
【図２】本実施形態による可変容量回路の他の構成例を示す図である。
【図３】本実施形態によるＡＭ放送受信回路の他の構成例を示す図である。
【図４】本実施形態による可変容量回路の他の構成例を示す図である。
【図５】車載用ＡＭラジオ受信機に用いられる非同調方式のＡＭ放送受信回路の従来構成例を示す図である。
【図６】車載用ＡＭラジオ受信機に用いられる非同調方式のＡＭ放送受信回路の従来構成例を示す図である。
【図７】車載用ＡＭラジオ受信機に用いられる同調方式のＡＭ放送受信回路の従来構成例を示す図である。
【図８】バラクタダイオードをＩＣに集積した場合の容量値変化特性を示す図である。
【符号の説明】
【００４３】
４  ＪＦＥＴ（アンテナバッファ）
６  トランス
７  可変容量回路
１０，１１  ＭＯＳＦＥＴ（増幅回路）
Ｌ１  トランスの１次コイル
Ｌ２  トランスの２次コイル
ＣＴ１，ＣＴ２，・・・ＣＴｎ  可変容量回路のコンデンサ
Ｓ１  可変容量回路のスイッチ
ＳＷ１，ＳＷ２，・・・ＳＷｎ  可変容量回路のスイッチ
【図１】
2009206554.tif 000003
【図２】
2009206554.tif 000004
【図３】
2009206554.tif 000005
【図４】
2009206554.tif 000006
【図５】
2009206554.tif 000007
【図６】
2009206554.tif 000008
【図７】
2009206554.tif 000009
【図８】
2009206554.tif 000010